(57)【要約】【課題】発光素子の発光タイミング制御の簡素化を可能とする技術を提供する。【解決手段】光を発光する第１の発光素子、第１の発光素子の第１の方向に配設された第２の発光素子、第３の発光素子、および第４の発光素子、が次の関係、Ｄr12：Ｄr23＝ｌ：ｍ  （ｌ≠ｍ）、ｌ：正の整数、ｍ：正の整数、Ｄr12：前記第１の発光素子と前記第３の発光素子との間の前記第１の方向と直交する方向の距離、Ｄr23：前記第３の発光素子と前記第４の発光素子との間の前記第１の方向と直交する方向の距離、を有するように配設される発光素子基板と、第１の発光素子、第２の発光素子、第３の発光素子、および第４の発光素子が発光する光を結像する結像光学系と、を備える。【選択図】図１３
2011115959.tif 000002
【特許請求の範囲】
【請求項１】
光を発光する第１の発光素子、前記第１の発光素子の第１の方向に配設された第２の発光素子、第３の発光素子、および第４の発光素子、が次の関係、
Ｄr12：Ｄr23＝ｌ：ｍ  （ｌ≠ｍ）
ｌ：正の整数
ｍ：正の整数
Ｄr12：前記第１の発光素子と前記第３の発光素子との間の前記第１の方向と直交する方向の距離
Ｄr23：前記第３の発光素子と前記第４の発光素子との間の前記第１の方向と直交する方向の距離
を有するように配設される発光素子基板と、
前記第１の発光素子、前記第２の発光素子、第３の発光素子、および前記第４の発光素子が発光する光を結像する結像光学系と、
を備えることを特徴とする露光ヘッド。
【請求項２】
前記整数ｌおよび前記整数ｍは次の関係、
ｍ＝ｌ＋１
を有する請求項１に記載の露光ヘッド。
【請求項３】
前記整数ｌおよび前記整数ｍは次の関係、
ｍ＞ｌ
を有しており、前記発光素子基板は、前記第１の方向と直交する方向で前記第３の発光素子と前記第４の発光素子との間に、前記第３の発光素子を駆動する駆動回路を有する請求項１に記載の露光ヘッド。
【請求項４】
前記整数ｍおよび前記整数ｌは次の関係、
ｍ＞２×ｌ
を有する請求項３に記載の露光ヘッド。
【請求項５】
前記第１の発光素子の前記第１の方向と異なる方向に配設された第５の発光素子が次の関係、
Ｄr12：Ｄr23：Ｄr34＝ｌ：ｍ：ｎ
ｎ：正の整数
Ｄr34：前記第４の発光素子と前記第５の発光素子との間の前記第１の方向と直交する方向の距離
を有するように前記発光素子基板に配設される請求項１に記載の露光ヘッド。
【請求項６】
前記整数ｌ、前記整数ｍおよび前記整数ｎは次の関係、
ｌ＝ｎ＝ｍ＋１
を有する請求項５に記載の露光ヘッド。
【請求項７】
光を発光する第１の発光素子、前記第１の発光素子の第１の方向に配設された第２の発光素子、第３の発光素子、および第４の発光素子、が次の関係、
Ｄr12：Ｄr23＝ｌ：ｍ  （ｌ≠ｍ）
ｌ：正の整数
ｍ：正の整数
Ｄr12：前記第１の発光素子と前記第３の発光素子との間の前記第１の方向と直交する方向の距離
Ｄr23：前記第３の発光素子と前記第４の発光素子との間の前記第１の方向と直交する方向の距離
を有するように配設される発光素子基板と、前記第１の発光素子、前記第２の発光素子、第３の発光素子、および前記第４の発光素子が発光する光を結像しスポットを形成する結像光学系と、を備える露光ヘッドと、
軸を有し、前記スポットが照射されて潜像が形成される感光体ドラムと、
前記第１の発光素子、前記第２の発光素子、前記第３の発光素子、および前記第４の発光素子を、前記感光体ドラムの表面の前記軸の方向と直交する方向への移動に応じたタイミングで発光させる制御部と、
前記感光体ドラムに形成された前記潜像を現像する現像部と、
を備えることを特徴とする画像形成装置。
【請求項８】
前記結像光学系は、前記第１の発光素子、前記第２の発光素子、前記第３の発光素子、および前記第４の発光素子が発光する光を倍率βsで結像し、
前記距離Ｄr12および前記距離Ｄr23は次の関係、
Ｄr12＝ｌ×Ｐdt／｜βs｜、
Ｄr23＝ｍ×Ｐdt／｜βs｜
Ｐdt：前記感光体ドラムに前記露光ヘッドから照射されるスポットの前記第１の方向と直交する方向のピッチ
を有する請求項７に記載の画像形成装置。
【発明の詳細な説明】
【技術分野】
【０００１】
この発明は、発光素子からの光を結像光学系により結像する露光ヘッドおよび当該露光ヘッドを用いた画像形成装置に関する。
【背景技術】
【０００２】
特許文献１には、主走査方向に並ぶ複数の発光素子から成る発光素子グループと、この発光素子グループに対向する結像光学系とを備えた露光ヘッドが記載されている。つまり、この露光ヘッドは、発光素子からの光を結像光学系により結像することで、被露光面に光のスポットを照射するものである。そして、発光素子グループの複数の発光素子それぞれからの光を結像光学系が結像することで、複数のスポットが主走査方向の互いに異なる位置に照射されて、各スポットの照射部分が露光される。また、感光体ドラム等の潜像担持体の表面に潜像を形成するにあたっては、潜像担持体表面を副走査方向に移動させながら、発光素子グループの各発光素子を潜像担持体表面の移動に応じたタイミングで発光させることで、所望の潜像を形成することができる。
【０００３】
ちなみに、このような露光ヘッドでは、スポット形成に供する光の量を十分に確保するために、発光素子の大きさ（径、面積）を大きくすることが好適である。しかしながら、複数の発光素子を一直線に並べただけでは、各発光素子を十分に大きくすることは難しい。そこで、この露光ヘッドでは、主走査方向および副走査方向を含む面内において、複数の発光素子が２次元的に配置されている。具体的には、各発光素子グループにおいて、複数の発光素子が主走査方向に２行千鳥で並んでおり、換言すれば、主走査方向に直線的に並ぶ発光素子の行（発光素子行）が、副走査方向に２行配置されている。
【先行技術文献】
【特許文献】
【０００４】
【特許文献１】特開２００９−０９８６１３号公報
【発明の概要】
【発明が解決しようとする課題】
【０００５】
ところで、３行あるいはそれ以上の発光素子行を副走査方向に配設して、１個の発光素子グループを構成することも考えられる。ただし、発光素子行の行数を３以上とするにあたっては、次のような課題があった。つまり、発光素子グループにおいては、発光素子行同士が干渉しないように、副走査方向に隣り合う発光素子行の間の距離を設定する必要がある。ところが、３行の発光素子行を副走査方向に配設した構成において、発光素子行同士の干渉を避けつつ、しかも発光素子を十分に大きくするとなると、副走査方向に等距離（等間隔）でこれら３行の発光素子行を配設することが困難となる場合がある。したがって、このような場合には、１行目と２行目との間の副走査方向への距離と、２行目と３行目の間の副走査方向への距離が互いに異なることとなる。すなわち、３行の発光素子行が副走査方向において互いに異なる位置に配設され、しかも、これら発光素子行の間の副走査方向への距離が一定とならないのである。
【０００６】
しかしながら、このように配設された３行の発光素子行の各発光素子を、潜像担持体表面の副走査方向への移動に応じたタイミングで発光させるとなると、互いに異なる発光素子行に属する３個の発光素子を、それぞれ異なるタイミングで発光させる必要が生じて、発光素子の発光タイミング制御が複雑化するという課題があった。
【０００７】
この発明は上記課題に鑑みてなされたものであり、発光素子の発光タイミング制御の簡素化を可能とする技術の提供を目的とする。
【課題を解決するための手段】
【０００８】
この発明にかかる露光ヘッドは、上記目的を達成するために、光を発光する第１の発光素子、第１の発光素子の第１の方向に配設された第２の発光素子、第３の発光素子、および第４の発光素子、が次の関係、
Ｄr12：Ｄr23＝ｌ：ｍ  （ｌ≠ｍ）
ｌ：正の整数
ｍ：正の整数
Ｄr12：前記第１の発光素子と前記第３の発光素子との間の前記第１の方向と直交する方向の距離
Ｄr23：前記第３の発光素子と前記第４の発光素子との間の前記第１の方向と直交する方向の距離
を有するように配設される発光素子基板と、
第１の発光素子、第２の発光素子、第３の発光素子、および第４の発光素子が発光する光を結像する結像光学系と、
を備えることを特徴としている。
【０００９】
このように構成された発明（露光ヘッド）では、第１の方向に第１の発光素子および第２の発光素子を配設して発光素子行を構成するとともに、第１の発光素子、第３の発光素子および第４の発光素子が第１の方向に直交する方向（直交方向）の異なる位置に配設されている。また、第１の発光素子と第３の発光素子との間の直交方向への距離Ｄr12と、第３の発光素子と第４の発光素子との間の直交方向への距離Ｄr23とは、互いに異なる。そのため、上述したとおり、第１の発光素子、第３の発光素子および第４の発光素子をそれぞれ異なるタイミングで発光させる必要が生じて、発光タイミングの制御が複雑化する場合があった。これに対して、本発明では、
Ｄr12：Ｄr23＝ｌ：ｍ  （ｌ≠ｍ）
ｌ：正の整数
ｍ：正の整数
Ｄr12：前記第１の発光素子と前記第３の発光素子との間の前記第１の方向と直交する方向の距離
Ｄr23：前記第３の発光素子と前記第４の発光素子との間の前記第１の方向と直交する方向の距離
を有するように発光素子が配設されている。したがって、第１の発光素子、第２の発光素子、第３の発光素子および第４の発光素子を共通のタイミングで発光させるといった発光タイミング制御が適用可能となり、発光タイミング制御の簡素化を図ることができる。
【００１０】
このとき、整数ｌおよび整数ｍは次の関係、ｍ＝ｌ＋１を満たすように構成しても良い。これにより、第１の発光素子、第２の発光素子第３の発光素子および第４の素子を大きくして、スポット形成に供する光の量を確保することが容易となる。
【００１１】
また、整数ｌおよび整数ｍは、次の関係ｍ＞ｌを有しており、発光素子基板は、第１の方向と直交する方向で第３の発光素子と第４の発光素子との間に、第３の発光素子を駆動する駆動回路を有するように構成しても良い。このように整数ｌおよび整数ｍが関係式ｍ＞ｌを満たすように構成する、すなわち、距離Ｄr12よりも距離Ｄr23の方を大きくとることで、第３の発光素子と第４の発光素子との間に比較的広いスペースを設けて、このスペースに第３の発光素子を駆動する駆動回路を配設することができる。
【００１２】
そこで、整数ｍおよび整数ｌは、次の関係、ｍ＞２×ｌを有するように構成しても良い。つまり、このように構成することで、距離Ｄr12よりも距離Ｄr23の方をより大きくとって、第３の発光素子と第４の発光素子との間にさらに広いスペースを設けることができる。その結果、余裕をもって駆動回路を配設することができ、駆動回路のレイアウトが簡単になる。
【００１３】
また、第１の発光素子の第１の方向と異なる方向に配設された第５の発光素子が次の関係、
Ｄr12：Ｄr23：Ｄr34＝ｌ：ｍ：ｎ
ｎ：正の整数
Ｄr34：前記第４の発光素子と前記第５の発光素子との間の前記第１の方向と直交する方向の距離
を有するように発光素子基板に配設されても良い。これにより、第１の発光素子、第２の発光素子、第３の発光素子、第４の発光素子および第５の発光素子を共通のタイミングで発光させるといった発光タイミング制御が適用可能となり、発光タイミング制御の簡素化を図ることができる。
【００１４】
この際さらに、整数ｌ、整数ｍおよび整数ｎは次の関係、ｌ＝ｎ＝ｍ＋１を有するように構成しても良い。これにより、第１の発光素子、第２の発光素子、第３の発光素子、第４の発光素子および第５の発光素子を大きくして、スポット形成に供する光の量を確保することが容易となる。
【００１５】
この発明にかかる画像形成装置は、光を発光する第１の発光素子、第１の発光素子の第１の方向に配設された第２の発光素子、第３の発光素子、および第４の発光素子、が次の関係、
Ｄr12：Ｄr23＝ｌ：ｍ  （ｌ≠ｍ）
ｌ：正の整数
ｍ：正の整数
Ｄr12：前記第１の発光素子と前記第３の発光素子との間の前記第１の方向と直交する方向の距離
Ｄr23：前記第３の発光素子と前記第４の発光素子との間の前記第１の方向と直交する方向の距離
を有するように配設される発光素子基板と、第１の発光素子、第２の発光素子、第３の発光素子、および第４の発光素子が発光する光を結像しスポットを形成する結像光学系と、を備える露光ヘッドと、軸を有し、スポットが照射されて潜像が形成される感光体ドラムと、第１の発光素子、第２の発光素子、第３の発光素子、および第４の発光素子を、感光体ドラムの表面の軸の方向と直交する方向への移動に応じたタイミングで発光させる制御部と、感光体ドラムに形成された潜像を現像する現像部と、を備えることを特徴としている。
【００１６】
このように構成された発明（画像形成装置）では、第１の発光素子、第２の発光素子、第３の発光素子、および第４の発光素子を、感光体ドラムの表面の軸の方向と直交する方向（直交方向）への移動に応じたタイミングで発光させる。しかも、第１の発光素子、第３の発光素子および第４の発光素子が直交方向の異なる位置に配設されている。また、第１の発光素子と第３の発光素子との間の直交方向への距離Ｄr12と、第３の発光素子と第４の発光素子との間の直交方向への距離Ｄr23とは、互いに異なる。そのため、上述したとおり、感光体ドラム表面の直交方向への移動に応じたタイミングで、第１の発光素子、第３の発光素子および第４の発光素子を発光させるとなると、第１の発光素子、第３の発光素子および第４の発光素子をそれぞれ異なるタイミングで発光させる必要が生じて、発光タイミングの制御が複雑化する場合があった。これに対して、本発明では、
Ｄr12：Ｄr23＝ｌ：ｍ  （ｌ≠ｍ）
ｌ：正の整数
ｍ：正の整数
Ｄr12：前記第１の発光素子と前記第３の発光素子との間の前記第１の方向と直交する方向の距離
Ｄr23：前記第３の発光素子と前記第４の発光素子との間の前記第１の方向と直交する方向の距離
を有するように発光素子が配設される。したがって、第１の発光素子、第２の発光素子、第３の発光素子および第４の発光素子を共通のタイミングで発光させるといった発光タイミング制御が適用可能となり、発光タイミング制御の簡素化を図ることができる。
【００１７】
また、結像光学系は、第１の発光素子、第２の発光素子、第３の発光素子および第４の発光素子が発光する光を倍率βsで結像して、距離Ｄr12および距離Ｄr23は次の関係、
Ｄr12＝ｌ×Ｐdt／｜βs｜、
Ｄr23＝ｍ×Ｐdt／｜βs｜
Ｐdt：感光体ドラムに露光ヘッドから照射されるスポットの第１の方向と直交する方向のピッチ
を有するように構成しても良い。これにより、第１の発光素子、第２の発光素子、第３の発光素子および第４の発光素子を共通のタイミングで発光させて、感光体ドラムにスポットを照射することができるため、発光タイミング制御の簡素化を図ることができる。
【図面の簡単な説明】
【００１８】
【図１】本発明を適用可能なラインヘッドの一例を示す平面図。
【図２】本発明を適用可能なラインヘッドの一例を示す部分階段断面図。
【図３】遮光部材のＡ−Ａ線における階段断面図。
【図４】遮光部材の分解斜視図。
【図５】発光素子グループでの発光素子の配列態様を示す部分平面図。
【図６】ラインヘッドの電気的構成を示すブロック図。
【図７】結像光学系のレンズデータ。
【図８】図７のＳ4面の面形状を与えるデータ。
【図９】図７のＳ7面の面形状を与えるデータ。
【図１０】結像光学系の主方向断面における光路図。
【図１１】結像光学系の副方向断面における光路図。
【図１２】結像光学系の物体側開口数と副方向倍率を表として示した図。
【図１３】発光素子グループの構成を示す平面図。
【図１４】距離Ｄr12、Ｄr34、Ｄr23が等しい発光素子グループを示す平面図。
【図１５】スポットグループの構成を示す平面図。
【図１６】タイミングＴ1、Ｔ2での露光動作を示す図。
【図１７】タイミングＴ3、Ｔ4での露光動作を示す図。
【図１８】タイミングＴ5、Ｔ６での露光動作を示す図。
【図１９】タイミングＴ7、Ｔ8での露光動作を示す図。
【図２０】上述したラインヘッドを適用可能な画像形成装置の一例を示す図。
【図２１】図２０の装置の電気的構成を示すブロック図。
【図２２】解像度の定義を説明するための図。
【図２３】発光素子グループの構成の変形例を示す平面図。
【図２４】発光素子グループの構成の更なる変形例を示す平面図。
【発明を実施するための形態】
【００１９】
Ａ．第１実施形態
図１および図２は、本発明を適用可能なラインヘッドの一例を示す図である。特に、図１は、ラインヘッド２９が備える発光素子およびレンズの位置関係をラインヘッド２９の厚さ方向ＴＫＤから見た平面図であり、図２は、ラインヘッド２９のＡ−Ａ線（図１の階段状の二点鎖線）における部分階段断面図であって、該断面をラインヘッド２９の長手方向ＬＧＤから見た場合に相当する。このラインヘッド２９は、長手方向ＬＧＤに長尺で幅方向ＬＴＤに短尺であるとともに、厚さ方向ＴＫＤに所定の厚さ（高さ）を有するものである。図１および図２含む以下の図面では必要に応じて、ラインヘッド２９の長手方向ＬＧＤ、幅方向ＬＴＤおよび厚さ方向ＴＫＤを示す。なお、これらの方向ＬＧＤ、ＬＴＤ、ＴＫＤは互いに直交もしくは略直交している。また、以下では、必要に応じて、厚さ方向ＴＫＤの矢印側を「表」あるいは「上」と表現し、厚さ方向ＴＫＤの矢印と反対側を「裏」あるいは「下」と表現する。
【００２０】
また、後述するとおり、同ラインヘッド２９を画像形成装置に適用するにあたっては、ラインヘッド２９は、主走査方向ＭＤに直交もしくは略直交する副走査方向ＳＤに移動する被露光面ＥＳ（感光体ドラム表面）に対して露光を行なうものであり、しかも、被露光面ＥＳの主走査方向ＭＤはラインヘッド２９の長手方向ＬＧＤに平行もしくは略平行であり、被露光面ＥＳの副走査方向ＳＤはラインヘッド２９の幅方向ＬＴＤに平行もしくは略平行である。そこで、必要に応じて、長手方向ＬＧＤ・幅方向ＬＴＤと一緒に、主走査方向ＭＤ・副走査方向ＳＤも図示することとする。
【００２１】
第１実施形態のラインヘッド２９では、複数の発光素子Ｅをグループ化して１つの発光素子グループＥＧが構成されており（発光素子Ｅの配置態様は後に図５を用いて詳述する）、さらに、複数の発光素子グループＥＧが千鳥状（３行千鳥）で離散的に並べられている（図１）。こうして、複数の発光素子グループＥＧのそれぞれは、長手方向ＬＧＤに距離Ｄgだけ相互にずれるとともに幅方向ＬＴＤに距離Ｄtだけ相互にずれて配置されている。なお、見方を変えれば、複数の発光素子グループＥＧが長手方向に直線的に並ぶ発光素子グループ行ＧＲが、幅方向ＬＴＤの異なる位置に３行ＧＲa、ＧＲb、ＧＲc配置されているとも言える。
【００２２】
また、各発光素子Ｅは、互いに同一の発光スペクトルを有するボトムエミッション型の有機ＥＬ（Electro-Luminescence）素子である。つまり、各発光素子Ｅを構成する有機ＥＬ素子は、長手方向ＬＧＤに長く幅方向ＬＴＤに短いガラス平板であるヘッド基板２９３の裏面２９３−tに形成されて、ガラス製の封止部材２９４により封止されている。なお、この封止部材２９４は、ヘッド基板２９３の裏面２９３−tに接着剤により固定されている。
【００２３】
複数の発光素子グループＥＧそれぞれに対しては１つの結像光学系が対向している。この結像光学系は、発光素子グループＥＧ側に凸の２枚のレンズＬＳ1、ＬＳ2から構成されている。なお、図１では、レンズＬＳ1、ＬＳ2が一点鎖線円で示されているが、これらは、厚さ方向ＴＫＤの平面視における発光素子グループＥＧとレンズＬＳ1、ＬＳ2との位置関係を示すものであり、レンズＬＳ1、ＬＳ2がヘッド基板２９３に直接形成されていることを示すものではない。また、図２では、発光素子グループＥＧと結像光学系ＬＳ1、ＬＳ2との間には部材２９７が図示されているが、これについては結像光学系の説明の後に説明する。
【００２４】
このラインヘッド２９では、３行千鳥で並ぶ複数の発光素子グループＥＧのそれぞれに対向してレンズＬＳ1、ＬＳ2を配置するために、複数のレンズＬＳ1を３行千鳥で並べたレンズアレイＬＡ1と、複数のレンズＬＳ2を３行千鳥で並べたレンズアレイＬＡ2とが設けられている。つまり、レンズアレイＬＡ1（ＬＡ2）では、複数のレンズＬＳ1（ＬＳ2）それぞれが、長手方向ＬＧＤに距離Ｄgだけ相互にずれるとともに幅方向ＬＴＤに距離Ｄtだけ相互にずれて配置されている。
【００２５】
ちなみに、レンズアレイＬＡ1（ＬＡ2）は、光透過製のガラス平板に樹脂製のレンズＬＳ1（ＬＳ2）を形成することで構成することができる。また、この実施形態では、長手方向ＬＧＤに長尺なレンズアレイＬＡ1（ＬＡ2）を一体的な構成で作成することは困難であることに鑑みて、比較的短尺なガラス平板に樹脂製のレンズＬＳ1（ＬＳ2）を３行千鳥で並べて１つの短尺なレンズアレイを作製し、この短尺レンズアレイを長手方向ＬＧＤに複数並べることで、長手方向ＬＧＤに長尺なレンズアレイＬＡ1（ＬＡ2）を構成している。
【００２６】
より具体的には、ヘッド基板２９３の表面２９３−hの幅方向ＬＴＤの両端部には、スペーサーＡＳ1が配置されており、長手方向ＬＧＤに並ぶ複数の短尺レンズアレイのそれぞれがこれらスペーサーＡＳ1、ＡＳ1に架設されて、１つのレンズアレイＬＡ1が構成されている。また、レンズアレイＬＡ1の表面の幅方向ＬＴＤの両側にはスペーサーＡＳ2が配置されており、長手方向ＬＧＤに並ぶ複数の短尺レンズアレイのそれぞれがこれらスペーサーＡＳ2、ＡＳ2に架設されて、１つのレンズアレイＬＡ2が構成されている。さらに、レンズアレイＬＡ2の表面には平板状の支持ガラス２９９が接着されており、レンズアレイＬＡ2を構成する各短尺レンズアレイはスペーサーＡＳ2のみならず、当該スペーサーＡＳ2の反対側から支持ガラス２９９によっても支持されている。また、この支持ガラス２９９は、レンズアレイＬＡ2が外部に露出しないように、当該レンズアレイＬＡ2を覆う機能も併せ持つ。
【００２７】
こうして、厚さ方向ＴＫＤにおいて、所定間隔を空けて並ぶレンズアレイＬＡ1、ＬＡ2がヘッド基板２９３に対向する。これにより、厚さ方向ＴＫＤに平行もしくは略平行な光軸ＯＡを有する結像光学系ＬＳ1、ＬＳ2が発光素子グループＥＧに対向することとなり、発光素子グループＥＧの各発光素子Ｅが射出した光は、ヘッド基板２９３、結像光学系ＬＳ1、ＬＳ2および支持ガラスＳＳをこの順番に透過して、被露光面ＥＳに照射される（図２の破線）。これにより、発光素子グループＥＧの各発光素子Ｅからの光が結像光学系ＬＳ1、ＬＳ2から結像作用を受けてスポットとして被露光面ＥＳに照射され、被露光面ＥＳに複数のスポットから成るスポットグループＳＧが形成される。ちなみに、結像光学系ＬＳ1、ＬＳ2は倒立像を形成するとともに（横倍率βが負）、横倍率β（結像倍率）の絶対値が１未満の反転縮小光学系である。
【００２８】
上述の説明から判るように、第１実施形態のラインヘッド２９は、複数の発光素子グループＥＧそれぞれに対して専用の結像光学系ＬＳ1、ＬＳ2を配置している。そして、このようなラインヘッド２９では、発光素子グループＥＧからの光は、当該発光素子グループＥＧに設けられた結像光学系にのみ入射し、それ以外の結像光学系に入射しないことが望ましい。そこで、第１実施形態では、ヘッド基板２９３の表面２９３−hとレンズアレイＬＡ1との間に、遮光部材２９７が設けられている。
【００２９】
図３は、遮光部材のＡ−Ａ線における階段断面図であり、図４は、遮光部材の分解斜視図である。両図では、光軸ＯＡに平行であって発光素子グループＥＧから被露光面ＥＳに向かう方向に、光進行方向Ｄoaがとられている（この光進行方向Ｄoaは厚さ方向ＴＫＤに平行もしくは略平行となる）。両図に示すように、遮光部材２９７は、第１遮光平板ＦＰ、第２遮光平板ＬＳＰa、第３遮光平板ＬＳＰbおよび絞り平板ＡＰと、これら平板ＦＰ、ＬＳＰa、ＬＳＰb、ＡＰの間隔を規定する第１スペーサーＳＳaおよび第２スペーサーＳＳbから成っており、具体的には、これらの平板およびスペーサーを厚さ方向ＴＫＤに積層して接着剤で固定した構成を備えている。
【００３０】
平板ＦＰ、ＬＳＰa、ＬＳＰb、ＡＰはいずれも、発光素子グループＥＧからの光の一部の通過を許し、その他の光の通過を遮る機能を有するものであり、発光素子グループＥＧとこれに対向する結像光学系ＬＳ1、ＬＳ2との間に開口Ｈf、Ｈa、Ｈb、Ｈpを有している。これら開口Ｈf、Ｈa、Ｈb、Ｈpそれぞれは、幾何重心が結像光学系ＬＳ1、ＬＳ2の光軸に一致もしくは略一致するように位置決めされている。つまり、図３、図４に示すように、平板ＦＰ、ＬＳＰa、ＬＳＰb、ＡＰのそれぞれには、発光素子グループＥＧの３行千鳥配列に対応して、厚さ方向ＴＫＤに貫通する円形の開口Ｈf、Ｈa、Ｈb、Ｈpが３行千鳥で並んでいる。そして、発光素子グループＥＧから射出された光のうち、開口Ｈf、Ｈa、Ｈb、Ｈpを通過した光が結像光学系ＬＳ1、ＬＳ2に入射し、その他の光のほとんどは平板ＦＰ、ＬＳＰa、ＬＳＰb、ＡＰに遮られる。なお、平板ＦＰ、ＬＳＰa、ＬＳＰb、ＡＰの厚さは次の大小関係、ＦＰ≒ＡＰ≒ＬＳＰa＜ＬＳＰbを満たしており、各開口の径は次の大小関係、Ｈf＜Ｈp＜Ｈa＜Ｈbを満たしている。
【００３１】
スペーサーＳＳa、ＳＳbは、厚さ方向ＴＫＤに貫通する略長方形の長孔Ｈsa、Ｈsbが形成された枠体である。この長孔Ｈsa、Ｈsbは、厚さ方向ＴＫＤから遮光部材２９７を平面透視した場合において、各開口Ｈf、Ｈa、Ｈb、Ｈpをすっぽりとその内部に含む程度に十分な大きさで形成されている。したがって、各発光素子グループＥＧから射出された光は、長孔Ｈsa、Ｈsbを抜けて被露光面ＥＳ（図２）に向けて進行する。
【００３２】
続いて、遮光部材２９７のより具体的な配列態様について詳述する。第１遮光平板ＦＰはヘッド基板２９３の表面２９３−h（図２）上に載置・固定されており、さらに、この第１遮光平板ＦＰの光進行方向Ｄoa側に第２遮光平板ＬＳＰaが配置されている。これら第１遮光平板ＦＰと第２遮光平板ＬＳＰaとの間には２枚のスペーサーＳＳa、ＳＳbが介挿されている。この第２遮光平板ＬＳＰaの光進行方向Ｄoa側では、２種類の平板から迷光吸収層ＡＬが構成されており、当該第２遮光平板ＬＳＰaと迷光吸収層ＡＬとの間には第１スペーサーＳＳaが介挿されている。迷光吸収層ＡＬは、開口径および厚さにおいて異なる２種類の遮光平板ＬＳＰa、ＬＳＰbを光進行方向Ｄoaに交互に積層したものであり、具体的には、４枚の第１遮光平板ＬＳＰaおよび３枚の第２遮光平板ＬＳＰbで構成されている。迷光吸収層ＡＬの光進行方向Ｄoa側には、第１遮光平板ＬＳＰaと絞り平板ＡＰとが光進行方向Ｄoaにこの順番に配置されている。また、迷光吸収層ＡＬと第１遮光平板ＬＳＰaとの間にはスペーサーＳＳaが介挿されており、当該第１遮光平板ＬＳＰaと絞り平板ＡＰとの間には２枚のスペーサーＳＳa、ＳＳbが介挿されている。
【００３３】
このように、遮光部材２９７を設けることで、各発光素子グループＥＧとこれに対向する結像光学系ＬＳ1、ＬＳ2との間には、複数の開口Ｈf、Ｈa、Ｈb、Ｈpが光の進行方向Ｄoaに並ぶこととなる。その結果、発光素子グループＥＧから射出された光のうち、当該発光素子グループＥＧに対向する開口Ｈf、Ｈa、Ｈb、Ｈpを通過した光が結像光学系ＬＳ1、ＬＳ2にまで到達し、その他の光のほとんどは遮光平板ＦＰ、ＬＳＰa、ＬＳＰb、ＡＰに遮光されて結像光学系ＬＳ1、ＬＳ2に到達しない。こうして、ゴーストの影響の少ない良好な露光の実現が図られている。
【００３４】
続いて、発光素子グループＥＧにおける発光素子Ｅの配置態様について説明する。図５は、発光素子グループでの発光素子の配列態様を示す部分平面図である。同図の左端の１点鎖線円は、同図略中央の一点鎖線円で囲まれた範囲を抜粋したものである。同図はヘッド基板２９３の裏面２９３−tの構成を示しており、同図に示された構成はいずれもヘッド基板２９３の裏面２９３−tに形成されている。発光素子グループＥＧは、複数（１７個×４行）の発光素子Ｅを、１つのグループとして構成したものである。つまり、同図が示すように、１７個の発光素子Ｅが長手方向ＬＧＤにピッチＰe1（＝６０[μm]）で直線的に並んで１行の発光素子行ＥＲが構成されており、しかも、１個の発光素子グループＥＧは、幅方向ＬＴＤにおいて異なる位置に配置された４行の発光素子行ＥＲ1〜ＥＲ4から構成されている。
【００３５】
また、発光素子行ＥＲ1と発光素子行ＥＲ2とは、長手方向ＬＧＤにピッチＰe2（＝Ｐe1／２）だけ互いにシフトしており、その結果、発光素子行ＥＲ1に属する発光素子Ｅと発光素子行ＥＲ2に属する発光素子Ｅとが交互に、長手方向ＬＧＤにピッチＰe2で千鳥状に並んでいる。また、同様に、発光素子行ＥＲ3と発光素子行ＥＲ4とは、長手方向ＬＧＤにピッチＰe2だけ互いにシフトしており、その結果、発光素子行ＥＲ3に属する発光素子Ｅと発光素子行ＥＲ4に属する発光素子Ｅとが交互に、長手方向ＬＧＤにピッチＰe2で千鳥状に並んでいる。また、発光素子行ＥＲ1、ＥＲ2の発光素子Ｅから成る千鳥配置ＺＡ12と発光素子行ＥＲ3、ＥＲ4の発光素子Ｅから成る千鳥配置ＺＡ34とは、長手方向ＬＧＤにピッチＰe3（＝Ｐe2／２）だけ互いにシフトしている。その結果、発光素子行ＥＲ2、ＥＲ4、ＥＲ1、ＥＲ2に属する４個の発光素子Ｅがこの順番で周期的に、長手方向ＬＧＤにピッチＰe3で並んでいる。
【００３６】
ここで、例えば、長手方向ＬＧＤへの発光素子Ｅのピッチは、当該ピッチで並ぶ２個の発光素子Ｅ、Ｅそれぞれの幾何重心間の長手方向ＬＧＤへの距離として求めることができる。
【００３７】
また、発光素子グループＥＧにおける、４行の発光素子行ＥＲ1〜ＥＲ4それぞれの間の幅方向ＬＴＤへの距離Ｄr12、Ｄr23、Ｄr34は次の通りである。つまり、発光素子行ＥＲ1と発光素子行ＥＲ2との距離Ｄr12と、発光素子行ＥＲ2と発光素子行ＥＲ3との距離Ｄr23と、発光素子行ＥＲ3と発光素子行ＥＲ4との距離Ｄr34とは、整数比を満たす。すなわち次式、Ｄr12：Ｄr23：Ｄr34＝ｌ：ｍ：ｎ（ｌ、ｍ、ｎは正の整数）が満足される。特に、第１実施形態では、Ｄr12：Ｄr23：Ｄr34＝ｌ：ｍ：ｎ＝２：３：２となっている。
【００３８】
ここで、例えば、距離Ｄr12は、発光素子行ＥＲ1の発光素子Ｅの幾何重心を通って長手方向ＬＧＤに平行な仮想直線と、発光素子行ＥＲ2の発光素子Ｅの幾何重心を通って長手方向ＬＧＤに平行な仮想直線との間の幅方向ＬＴＤへの距離として求められる。距離Ｄr23、Ｄr34についても同様にして求めることができる。
【００３９】
また、発光素子グループＥＧの幅方向ＬＴＤの一方側には、発光素子行ＥＲ1、ＥＲ2に属して千鳥配置ＺＡ12を構成する複数の発光素子Ｅを駆動するための駆動回路ＤＣ1、ＤＣ2が配置されている。具体的には、発光素子行ＥＲ1の発光素子Ｅを駆動する駆動回路ＤＣ1と、発光素子行ＥＲ2の発光素子Ｅを駆動する駆動回路ＤＣ2とが長手方向ＬＧＤに交互に並んでいる。これら駆動回路ＤＣ1、ＤＣ2、…は、ピッチＰdc（＞Ｐe2）で長手方向ＬＧＤに直線的に並んでいる。駆動回路ＤＣ1、ＤＣ2のそれぞれは、ＴＦＴ(thin film transistor）から構成されており、後述するドライバーＩＣ２９５により書き込まれた信号値を一時的に保持し（具体的には、信号値としての電圧値を容量に記憶し）、当該信号値に応じた駆動電流を発光素子Ｅに供給するものである。
【００４０】
また、幅方向ＬＴＤにおいて、千鳥配置ＺＡ12を構成する発光素子Ｅと駆動回路ＤＣ1、ＤＣ2、…との間には、複数のコンタクトＣＴが形成されている。これら複数のコンタクトＣＴは、千鳥配置ＺＡ12を構成する複数の発光素子Ｅに対して一対一の対応関係で隣接して設けられており、これら複数の発光素子Ｅと同じピッチＰe2で長手方向ＬＧＤに直線的に並んでいる。そして、千鳥配置ＺＡ12を構成する各発光素子Ｅと、当該発光素子Ｅに隣接するコンタクトＣＴとが配線ＷＬa（図５の破線）で接続される。なお、図５に示すように、発光素子行ＥＲ1の発光素子ＥとコンタクトＣＴとを接続する配線Ｗlaは略一定の幅を有している。これに対して、発光素子行ＥＲ2の発光素子ＥとコンタクトＣＴとを接続する配線Ｗlaの幅は一定ではなく、発光素子Ｅ側の先端部分が細くなっている。これは、発光素子行ＥＲ1の発光素子Ｅの間を抜けて、発光素子行ＥＲ2の発光素子Ｅにまで配線ＷＬaを通すためである。
【００４１】
そして、発光素子行ＥＲ1の発光素子Ｅに接続されたコンタクトＣＴと、駆動回路ＤＣ1とが配線ＷＬbで接続される。また、発光素子行ＥＲ2の発光素子Ｅに接続されたコンタクトＣＴと、駆動回路ＤＣ2とが配線ＷＬbで接続される。そして、これらの配線経路を介して、駆動回路ＤＣ1、ＤＣ2はそれぞれ対応する発光素子Ｅに駆動電流を供給する。なお、図５に示すように、千鳥配置ＺＡ12を構成する複数の発光素子Ｅのうち、長手方向ＬＧＤの両端部に２個ずつ形成された発光素子Ｅには駆動回路ＤＣ1、ＤＣ2が接続されていない。つまり、これらの発光素子Ｅは、駆動電流が供給されず、実際には発光しないダミー素子である。
【００４２】
また、同様に、発光素子グループＥＧの幅方向ＬＴＤの他方側にも、複数の駆動回路が長手方向ＬＧＤにピッチＰdc（＞Ｐe2）で並んでいる。これら駆動回路ＤＣ3、ＤＣ4は、発光素子行ＥＲ3、ＥＲ4に属して千鳥配置ＺＡ34を構成する複数の発光素子Ｅを駆動するために設けられたものであり、駆動回路ＤＣ3、ＤＣ4と発光素子行ＥＲ3、ＥＲ4（千鳥配置ＺＡ34）との関係は、上述した駆動回路ＤＣ1、ＤＣ2と発光素子行ＥＲ1、ＥＲ2（千鳥配置ＺＡ12）との関係と同様であるので、説明を省略する。
【００４３】
このように、発光素子グループＥＧの発光素子Ｅには、駆動回路ＤＣ1〜ＤＣ4が接続されており、駆動回路ＤＣ1〜ＤＣ4からの駆動電流の供給を受けて、各発光素子Ｅは光を射出する。この駆動回路ＤＣ1〜ＤＣ4による電流供給は、ラインヘッド２９が備える電気的構成により制御される。
【００４４】
図６は、ラインヘッドの電気的構成を示すブロック図である。図６に示すように、ラインヘッド２９の電気的構成は、上述した駆動回路ＤＣ1〜ＤＣ4以外に、データ転送基板ＴＢと複数のドライバーＩＣ２９５とを備える。データ転送基板ＴＢは、外部から受信したビデオデータＶＤを各ドライバーＩＣ２９５に転送する。また、各ドライバーＩＣ２９５は、ビデオデータＶＤ（具体的には、電圧値に変換されたビデオデータＶＤ）を駆動回路ＤＣ1〜ＤＣ4に書き込んで、発光素子Ｅの発光制御を行う。この際、ドライバーＩＣ２９５は、発光素子Ｅの劣化や温度特性等に応じて補正したビデオデータＶＤを駆動回路ＤＣ1〜ＤＣ4に書き込んでも良い。また、この書き込み動作は、いわゆる時分割駆動によって実行しても良い。ちなみに、データ転送基板ＴＢは、外部から供給された電源Ｖddを、ヘッド基板２９３（の駆動回路ＤＣ1〜ＤＣ4）に給電する機能も果たす。
【００４５】
以上がラインヘッド２９の概略的な構成である。ところで、上述のとおり、このラインヘッド２９は、発光素子グループＥＧの各発光素子Ｅからの光を、レンズＬＳ1、ＬＳ2から構成される結像光学系により結像して、被露光面ＥＳに光のスポットＳＰを照射することで、被露光面ＥＳを露光するものである。そこで、以下では、結像光学系と発光素子グループとが協働して行なう露光動作について、結像光学系および発光素子グループの具体的な構成例を参照しつつ詳述する。なお、以下の説明では適宜、主走査方向ＭＤに対応する方向として主方向（あるいは主方向ｘ）との表現を用い、副走査方向ＳＤに対応する方向として副方向（あるいは副方向ｙ）との表現を用いることとする。
【００４６】
図７〜図１２は、結像光学系の構成を示す図である。より詳しくは、図７は、結像光学系のレンズデータであり、図８は、図７のＳ4面の面形状を与えるデータであり、図９は、図７のＳ7面の面形状を与えるデータであり、図１０は、結像光学系の主方向断面における光路図であり、図１１は、結像光学系の副方向断面における光路図である。また、図１２は、結像光学系の物体側開口数と副方向倍率βs（副走査方向ＳＤへの横倍率）とを表として示した図であり、同表によると、物体側開口数＝０．２１８、副方向倍率βs＝−０．７５５９５である。
【００４７】
図７〜図１２から判るように、面Ｓ1は、ヘッド基板２９３としてのガラス基板の裏面（有機ＥＬ素子が形成された面）であり、面Ｓ2は、ヘッド基板２９３としてのガラス基板の表面であり、面Ｓ3は、開口絞りであり、面Ｓ4は、樹脂レンズＬＳ1のレンズ面であり、面Ｓ5は、樹脂レンズＬＳ1と当該樹脂レンズＬＳ1が形成されたガラス基板ＳＢ1の裏面との境界であり、面Ｓ6は、ガラス基板ＳＢ1の表面であり、面Ｓ7は、樹脂レンズＬＳ2のレンズ面であり、面Ｓ8は、樹脂レンズＬＳ2と当該樹脂レンズＬＳ2が形成されたガラス基板ＳＢ2のレンズ面であり、面Ｓ9は、ガラス基板ＳＢ2の表面であり、面Ｓ10は像面（被露光面）である。そして、このように構成された結像光学系によって、発光素子グループＥＧ（図１３）からの光が結像されて、被露光面ＥＳにスポットグループＳＧ（図１５）が形成される。
【００４８】
図１３は、発光素子グループの構成を示す平面図である。なお、図１３では、実際に発光してスポット形成に供する発光素子Ｅのみが記載され、ダミー素子の記載は省略されている。図５を用いて上述したとおり、発光素子グループＥＧにおいて、副走査方向ＳＤに並ぶ４行の発光素子行ＥＲ1〜ＥＲ4の間の距離Ｄr12、Ｄr23、Ｄr34は、次式、Ｄr12：Ｄr23：Ｄr34＝ｌ：ｍ：ｎ（ｌ、ｍ、ｎは正の整数）を満足する。特に、第１実施形態では、Ｄr12＝２８[μm]、Ｄr23＝４２[μm]、Ｄr34＝２８[μm]であり、Ｄr12：Ｄr23：Ｄr34＝ｌ：ｍ：ｎ＝２：３：２となっている。また、発光素子グループＥＧを構成する円形の各発光素子Ｅの直径は３２[μm]となっている。
【００４９】
ちなみに、この実施形態では、距離Ｄr12、Ｄr23、Ｄr34は、式ｍ＝ｌ＋１＝ｎ+１を満たすように設定されており、距離Ｄr12、Ｄr34に対して距離Ｄr23を大きくとっている。これは、発光素子Ｅの大きさを維持しつつ、発光素子行ＥＲ2と発光素子行ＥＲ3との干渉（図１４）を避けるためである。ここで、図１４は、距離Ｄr12、Ｄr23、Ｄr34が等しい発光素子グループを示す平面図である。同図に示す例では、距離Ｄr12、Ｄr23、Ｄr34はいずれも２８[μm]であって互いに等しく、発光素子行ＥＲ2と発光素子行ＥＲ3との距離Ｄr23が十分にとられていない。その結果、発光素子行ＥＲ2と発光素子行ＥＲ3とが干渉してしまっている。したがって、距離Ｄr12、Ｄr23、Ｄr34を等しくする同図の構成を成立させるには、発光素子Ｅの径を３２[μm]よりも小さくする必要がある。しかしながら、これは、スポット形成に供する光の量を減少させてしまうため適当でない。そこで、この実施形態は、式ｍ＝ｌ＋１＝ｎ+１を満たすように距離Ｄr12、Ｄr23、Ｄr34を設定して、距離Ｄr12、Ｄr34に対して距離Ｄr23を大きくとっている。これにより、発光素子Ｅの大きさを維持して、スポット形成に供する光の量を十分に確保しつつ、発光素子行ＥＲ2と発光素子行ＥＲ3との干渉を避けることが可能となっている。
【００５０】
図１５は、図１３の発光素子グループの各発光素子を同時点灯させて形成されるスポットグループの構成を示す平面図である。上述のとおり結像光学系の横倍率は負であるとともに、その絶対値が１未満である。したがって、スポットグループＳＧは、発光素子グループＥＧを１８０°回転させつつ縮小させたような概略構成を有する。その結果、スポットグループＳＧでは、主走査方向ＭＤに一直線に並ぶ１５個のスポットＳＰからスポット行が構成されるとともに、４行のスポット行ＳＲ1〜ＳＲ4が副走査方向ＳＤにこの順番で並ぶ。ここで、スポット行ＳＲ1は、発光素子行ＥＲ1からの光を結像して形成されるものであり、その他のスポット行ＳＲ2、ＳＲ3、ＳＲ4も発光素子行ＥＲ2、ＥＲ3、ＥＲ4と同様の対応関係を有する。
【００５１】
また、結像光学系の副走査方向ＳＤへの横倍率βsの絶対値は０．７５５９５であるため、４行のスポット行ＳＲ1〜ＳＲ4それぞれの間の副走査方向ＳＤへの距離Ｄsr12、Ｄsr23、Ｄsr34、すなわち、スポット行ＳＲ1とスポット行ＳＲ2との距離Ｄsr12と、スポット行ＳＲ2とスポット行ＳＲ3との距離Ｄsr23と、スポット行ＳＲ3とスポット行ＳＲ4との距離Ｄsr34とは、
Ｄsr12＝｜βs｜×Ｄr12＝０．７５５９５×２８[μm]＝２１．１６[μm]…式１
Ｄsr23＝｜βs｜×Ｄr23＝０．７５５９５×４２[μm]＝３１．７５[μm]…式２
Ｄsr34＝｜βs｜×Ｄr34＝０．７５５９５×２８[μm]＝２１．１６[μm]…式３
となり、換言すれば、
Ｄsr12＝ｌ×Ｐdt＝２×Ｐdt…式４
Ｄsr23＝ｍ×Ｐdt＝３×Ｐdt…式５
Ｄsr34＝ｎ×Ｐdt＝２×Ｐdt…式６
が成立する。ここで、Ｐdtは１０．５８３３[μm]と求まり、これは解像度２４００ｄｐｉ（dot per inch）の１dot（１画素）に相当する。したがって、この例では、被露光面ＥＳ（感光体ドラム表面等）を副走査方向ＳＤに移動させながら、４行のスポット行ＳＲ1〜ＳＲ4を同時に形成する動作を順次繰り返すことで、解像度２４００ｄｐｉの露光を行なうことができる（図１６〜図１９）。
【００５２】
図１６は、タイミングＴ1、Ｔ2での露光動作を示す図であり、図１７は、タイミングＴ3、Ｔ4での露光動作を示す図であり、図１８は、タイミングＴ5、Ｔ６での露光動作を示す図であり、図１９は、タイミングＴ7、Ｔ8での露光動作を示す図である。各図において、縦横の点線から成る格子の交点が画素（ドット）の中心（幾何重心）に相当する。また、タイミングＴ1〜Ｔ8は等間隔ΔＴ毎に設けられた発光タイミングであり、各タイミングにおいて、４行の発光素子行ＥＲ1〜ＥＲ4が同時点灯して、４行のスポット行ＳＲ1〜ＳＲ4が同時に形成される。より具体的には、タイミング間隔ΔＴは、被露光面ＥＳが１画素分の距離Ｐdtだけ副走査方向ＳＤに移動するのに要する時間として求められる。さらに、各図では、各タイミングで形成されるスポット行に対して、符号ＳＲ1〜ＳＲ4を付するとともに、スポット行ＳＲ1〜ＳＲ4の間の距離（２・Ｐdt、３・Ｐdt、２・Ｐdt）を示している。
【００５３】
図１６に示すように、タイミングＴ1において、４行の発光素子行ＥＲ1〜ＥＲ4が同時点灯すると、被露光面ＥＳに４行のスポット行ＳＲ1〜ＳＲ4が同時形成される。この際、Ｄsr12＝ｌ×Ｐdt＝２×Ｐdt、Ｄsr23＝ｍ×Ｐdt＝３×Ｐdt、Ｄsr34＝ｎ×Ｐdt＝２×Ｐdt（つまり、Ｄsr12、Ｄsr23、Ｄsr34がＰdtの整数ｌ、ｍ、ｎ倍）が成立しているため、４行のスポット行ＳＲ1〜ＳＲ4の各スポットが画素上に形成される。こうして、スポットが形成された画素が露光される。
【００５４】
続いて、被露光面ＥＳが副走査方向ＳＤに距離Ｐdtだけ移動したタイミングＴ2において、４行の発光素子行ＥＲ1〜ＥＲ4が同時点灯すると、被露光面ＥＳに４行のスポット行ＳＲ1〜ＳＲ4が同時形成される。この場合においても、Ｄsr12、Ｄsr23、Ｄsr34がＰdtの整数ｌ、ｍ、ｎ倍であるため、４行のスポット行ＳＲ1〜ＳＲ4の各スポットが画素上に形成される。しかも、この際、タイミングＴ1でスポット行ＳＲ1〜ＳＲ4により既に露光された各画素に対して、副走査方向ＳＤ下流側から隣接する各画素の上に、スポット行ＳＲ1〜ＳＲ4が新たに形成されることとなる。そして、以下同様に、タイミングＴ3、…、Ｔ8、…のそれぞれで４行の発光素子行ＥＲ1〜ＥＲ4を同時点灯させることで、被露光面ＥＳの各画素の上にスポットを形成して、被露光面ＥＳをくまなく露光することができる。なお、以上の発光タイミングの制御は、データ転送基板ＴＢ、ドライバーＩＣ２９５および駆動回路ＤＣ1〜ＤＣ4の協働により実行される。
【００５５】
以上のように第１実施形態では、副走査方向ＳＤに並ぶ４行の発光素子行ＥＲ1〜ＥＲ4の間の距離Ｄr12、Ｄr23、Ｄr34は、
Ｄr12：Ｄr23：Ｄr34＝ｌ：ｍ：ｎ  （ｌ≠ｍ）
ｌ：正の整数
ｍ：正の整数
ｎ：正の整数
を有する。したがって、４行の発光素子行ＥＲ1〜ＥＲ4の各発光素子Ｅを共通のタイミングで発光させるといった発光タイミング制御が適用可能となり、発光タイミング制御の簡素化を図ることができる。
【００５６】
また、整数ｌおよび整数ｍは関係、ｍ＝ｌ＋１＝ｎ＋１を有しており、距離Ｄr12、Ｄr34に対して距離Ｄr23が大きくとられている。その結果、発光素子行ＥＲ1〜ＥＲ4の各発光素子Ｅを大きくして（φ３２[μm]）、スポット形成に供する光の量を容易に確保することが可能となっている。
【００５７】
また、上記実施形態では、式１〜式６を満たすように（換言すれば、Ｄr12＝ｌ×Ｐdt／｜βs｜、Ｄr23＝ｍ×Ｐdt／｜βs｜、Ｄr34＝ｎ×Ｐdt／｜βs｜を満たすように）、発光素子行ＥＲ1〜ＥＲ4が配置されている。これにより、発光素子行ＥＲ1〜ＥＲ4の各発光素子を共通のタイミングで発光させて、被露光面ＥＳの画素上にスポットを照射することができ、発光タイミング制御の簡素化を図ることができる。
【００５８】
Ｂ．第２実施形態
図２０は上述したラインヘッドを適用可能な画像形成装置の一例を示す図である。また、図２１は図２０の装置の電気的構成を示すブロック図である。第２実施形態では、上述したラインヘッド２９を備えた画像形成装置の一例について、これらの図を用いて説明する。この画像形成装置１は、互いに異なる色の画像を形成する４個の画像形成ステーション２Ｙ（イエロー用）、２Ｍ（マゼンタ用）、２Ｃ（シアン用）および２Ｋ（ブラック用）を備えている。そして、画像形成装置１は、イエロー（Ｙ）、マゼンタ（Ｍ）、シアン（Ｃ）およびブラック（Ｋ）の４色のトナーを重ね合わせてカラー画像を形成するカラーモードと、ブラック（Ｋ）のトナーのみを用いてモノクロ画像を形成するモノクロモードとを選択的に実行可能となっている。
【００５９】
この画像形成装置では、ホストコンピューターなどの外部装置から画像形成指令がＣＰＵやメモリーなどを有するメインコントローラーＭＣに与えられると、このメインコントローラーＭＣはエンジンコントローラーＥＣに制御信号を与えるとともに画像形成指令に対応するビデオデータＶＤをヘッドコントローラーＨＣに与える。このとき、メインコントローラーＭＣは、ヘッドコントローラーＨＣから水平リクエスト信号ＨＲＥＱを受け取る毎に、主走査方向ＭＤに１ライン分のビデオデータＶＤをヘッドコントローラーＨＣに与える。また、ヘッドコントローラーＨＣは、メインコントローラーＭＣからのビデオデータＶＤとエンジンコントローラーＥＣからの垂直同期信号Ｖsyncおよびパラメータ値とに基づき、各色の画像形成ステーション２Ｙ、２Ｍ、２Ｃ、２Ｋそれぞれのラインヘッド２９を制御する。これによって、エンジン部ＥＮＧが所定の画像形成動作を実行し、複写紙、転写紙、用紙およびＯＨＰ用透明シートなどのシート状の記録媒体ＲＭに画像形成指令に対応する画像を形成する。
【００６０】
各画像形成ステーション２Ｙ、２Ｍ、２Ｃおよび２Ｋは、トナー色を除けばいずれも同じ構造および機能を有している。そこで、図２０では、図を見やすくするために、画像形成ステーション２Ｃを構成する各部品にのみ符号を付し、他の画像形成ステーション２Ｙ、２Ｍおよび２Ｋに付すべき符号については記載を省略する。また、以下の説明では、図２０に付した符号を参照して画像形成ステーション２Ｃの構造および動作を説明するが、他の画像形成ステーション２Ｙ、２Ｍおよび２Ｋの構造および動作も、トナー色が異なることを除けば同じである。
【００６１】
画像形成ステーション２Ｃには、シアン色のトナー像がその表面に形成される感光体ドラム２１が設けられている。感光体ドラム２１は、その回転軸が主走査方向ＭＤ（図２０の紙面に対して垂直な方向）に平行もしくは略平行となるように配置されており、図２０中矢印Ｄ２１の方向に所定速度で回転駆動される。これにより、感光体ドラム２１の表面が、主走査方向ＭＤに直交もしくは略直交する副走査方向ＳＤに移動することとなる。
【００６２】
感光体ドラム２１の周囲には、感光体ドラム２１表面を所定の電位に帯電させるコロナ帯電器である帯電器２２と、感光体ドラム２１表面を画像信号に応じて露光することで静電潜像を形成するラインヘッド２９と、該静電潜像をトナー像として顕像化する現像器２４と、第１スクイーズ部２５と、第２スクイーズ部２６と、転写後の感光体ドラム２１の表面をクリーニングするクリーニングユニットとが、それぞれこれらの順に感光体ドラム２１の回転方向Ｄ２１（図２０では、時計回り）に沿って配設されている。
【００６３】
この実施形態では、帯電器２２は２つのコロナ帯電器２２１、２２２で構成されており、感光体ドラム２１の回転方向Ｄ２１においてコロナ帯電器２２１がコロナ帯電器２２２に対して上流側に配置されており、２つのコロナ帯電器２２１、２２２により２段階で帯電されるように構成されている。各コロナ帯電器２２１、２２２は同一構成であり、感光体ドラム２１の表面に接触しないものであり、スコロトロン帯電器である。
【００６４】
そして、コロナ帯電器２２１、２２２により帯電された感光体ドラム２１表面に対して、ラインヘッド２９がビデオデータＶＤに基づいて静電潜像を形成する。つまり、ヘッドコントローラーＨＣがラインヘッド２９のデータ転送基板ＴＢ（図６）にビデオデータＶＤを送信すると、データ転送基板ＴＢが各ドライバーＩＣ２９５にビデオデータＶＤを転送し、ドライバーＩＣがこのビデオデータＶＤに基づいて各発光素子Ｅを発光させる。この際、図１６〜図１９の説明と同じ要領で、各発光素子Ｅは発光する。つまり、感光体ドラム２１表面の副走査方向ＳＤへの移動に応じたタイミングＴ1等で、ラインヘッド２９の発光素子Ｅが発光し、感光体ドラム２１表面の画素上にスポットが形成される。これにより、感光体ドラム２１表面が露光されて、画像信号に対応した静電潜像が形成される。
【００６５】
この際、ヘッドコントローラーＨＣにおいて、感光体ドラム２１表面が１画素分の距離Ｐdt）だけ副走査方向ＳＤに移動するのに要する時間ΔＴ毎に水平リクエスト信号ＨＲＥＱを順次生成し、この水平リクエスト信号ＨＲＥＱに同期して発光タイミングＴ1等を生成すると良い。これにより、発光素子グループＥＧの発光素子行ＥＲ1〜ＥＲ4をタイミングＴ1等で同時発光させて、感光体ドラム２１表面の画素上にスポットを形成することができる。
【００６６】
こうして形成された静電潜像に対して現像器２４からトナーが付与されて、静電潜像がトナーにより現像される。この画像形成装置１の現像器２４は、現像ローラー２４１を有している。この現像ローラー２４１は円筒状の部材であり、鉄等金属製の内芯の外周部に、ポリウレタンゴム、シリコンゴム、ＮＢＲ、ＰＦＡチューブなどの弾性層を設けたものである。この現像ローラー２４１は現像用モーターに接続され、図２０紙面において反時計回りに回転駆動されて感光体ドラム２１に対してウィズ回転する。また、この現像ローラー２４１は図示を省略する現像バイアス発生部（定電圧電源）と電気的に接続されており、適当なタイミングで現像バイアスが印加されるように構成されている。
【００６７】
また、この現像ローラー２４１に対して液体現像剤を供給するためにアニロックスローラーが設けられており、アニロックスローラーを介して現像剤貯留部から現像ローラー２４１へ液体現像剤が供給される。このようにアニロックスローラーは現像ローラー２４１に対して液体現像剤を供給する機能を有する。このアニロックスローラーは、液体現像剤を担持し易いように表面に微細且つ一様に彫刻された螺旋溝などによる凹部パターンが形成されたローラーである。現像ローラー２４１と同様に、金属の芯金にウレタン、ＮＢＲなどのゴム層を巻き付けたものや、ＰＦＡチューブを被せたものなどが用いられる。また、アニロックスローラーは現像用モーターに接続されて回転する。
【００６８】
現像剤貯留部に貯留される液体現像剤は、従来一般的に使用されている、Isopar（商標：エクソン）を液体キャリアとした低濃度（１〜２ｗｔ％）かつ低粘度の常温で揮発性を有する揮発性液体現像剤ではなく、高濃度かつ高粘度の、常温で不揮発性樹脂中へ顔料などの着色剤を分散させた平均粒径１μｍの固形子を、有機溶媒、シリコンオイル、鉱物油又は食用油等の液体溶媒中へ分散剤とともに添加し、トナー固形分濃度を約２０%とした高粘度（３０〜１００００ｍＰａ・s程度）の液体現像剤が用いられる。
【００６９】
上記のようにして、液体現像剤が供給された現像ローラー２４１はアニロックスローラーと同時に回転すると共に、感光体ドラム２１の表面とは同方向に移動するように回転して現像ローラー２４１の表面に担持された液体現像剤を現像位置に搬送する。なお、トナー像を形成するため、現像ローラー２４１の回転方向は、その表面が感光体ドラム２１の表面と同方向に移動するようにウィズ回転する必要があるが、アニロックスローラーに対しては、逆方向、或いは、同方向、どちらに移動する構成であってもよい。
【００７０】
また、現像器２４では、この現像ローラー２４１の回転方向において現像位置の上流側直前にトナー圧縮コロナ発生器２４２が現像ローラー２４１に対向して配置されている。このトナー圧縮コロナ発生器２４２は現像ローラー２４１の表面の帯電バイアスを増加させる電界印加手段であり、定電流電源で構成されたトナーチャージ発生部（図示省略）と電気的に接続されている。そして、トナー圧縮コロナ発生器２４２に対してトナーチャージバイアスが与えられると、現像ローラー２４１によって搬送される液体現像剤のトナーに対して、このトナー圧縮コロナ発生器２４２と近接する位置で電界が印加され、帯電、圧縮が施される。なお、このトナー帯電、圧縮には、電解印加によるコロナ放電に代えて、接触して帯電させるコンパクションローラーを用いてもよい。
【００７１】
また、このように構成された現像器２４は感光体ドラム２１上の潜像を現像する現像位置と感光体ドラム２１から離れた退避位置との間で往復可能となっている。したがって、現像器２４が退避位置に移動して位置決めされると、その間、シアン用の画像形成ステーション２Ｃでは、感光体ドラム２１への新たな液体現像剤の供給は停止される。
【００７２】
感光体ドラム２１の回転方向Ｄ２１において現像位置の下流側に、第１スクイーズ部２５が配置されるとともに、さらに第１スクイーズ部２５の下流側に第２スクイーズ部２６が配置されている。これらのスクイーズ部２５、２６にはスクイーズローラー２５１、２６１がそれぞれ設けられている。そして、スクイーズローラー２５１が第１スクイーズ位置で感光体ドラム２１の表面と当接しながらメインモーターからの回転駆動力を受けて回転してトナー像の余剰現像剤を除去する。また、感光体ドラム２１の回転方向Ｄ２１において第１スクイーズ位置の下流側の第２スクイーズ位置でスクイーズローラー２６１が感光体ドラム２１の表面と当接しながらメインモーターからの回転駆動力を受けて回転してトナー像の余剰液体キャリアやカブリトナーを除去する。また、本実施形態ではスクイーズ効率を高めるために、スクイーズローラー２５１、２６１に対して図示省略するスクイーズバイアス発生部（定電圧電源）が電気的に接続されており、適当なタイミングでスクイーズバイアスが印加されるように構成されている。なお、本実施形態では２つのスクイーズ部２５、２６を設けているが、スクイーズ部の個数や配置などはこれに限定されるものではなく、例えば１個のスクイーズ部を配置してもよい。
【００７３】
これらのスクイーズ位置を通過してきたトナー像は転写部３の中間転写体３１に１次転写される。この中間転写体３１は、その表面、より詳しくはその外周面にトナー像を一時的に担持可能な像担持体としての無端状ベルトであり、複数のローラー３２、３３、３４、３５および３６に掛け渡されている。これらのうちローラー３２はメインモーターに連結されて、中間転写体３１を図２０の矢印方向Ｄ３１に周回駆動するベルト駆動ローラーとして機能している。なお、本実施形態では、記録紙ＲＭとの密着性を高めて記録紙ＲＭへのトナー像の転写性を高めるために、中間転写体３１の表面に弾性層を設け、当該弾性層の表面にトナー像が担持されるように構成されている。
【００７４】
ここで、中間転写体３１を掛け渡されたローラー３２ないし３６のうち、メインモーターにより駆動されるのは上記したベルト駆動ローラー３２のみであり、他のローラー３３ないし３６は駆動源を有しない従動ローラーである。また、ベルト駆動ローラー３２は、ベルト移動方向Ｄ３１において一次転写位置ＴＲ1の下流側、かつ後述する二次転写位置ＴＲ2の上流側で中間転写体３１を巻き掛けている。
【００７５】
転写部３は一次転写バックアップローラー３７を有しており、一次転写バックアップローラー３７は中間転写体３１を挟んで感光体ドラム２１と対向して配設されている。感光体ドラム２１と中間転写体３１とが当接する一次転写位置ＴＲ1では、感光体ドラム２１の外周面が中間転写体３１と当接して一次転写ニップ部ＮＰ１ｃを形成している。そして、感光体ドラム２１上のトナー像が中間転写体３１の外周面（一次転写位置ＴＲ1において下面）に転写される。こうして画像形成ステーション２Ｃにより形成されたシアン色のトナー像が中間転写体３１に転写される。同様に、他の画像形成ステーション２Ｙ、２Ｍおよび２Ｋでもトナー像の転写が実行されることで、各色のトナー像が中間転写体３１上に順次重ね合わされ、フルカラーのトナー像が形成される。一方、モノクロトナー像が形成される際には、ブラック色に対応した画像形成ステーション２Ｋのみにおいて、中間転写体３１へのトナー像転写が行われる。
【００７６】
こうして中間転写体３１に転写されたトナー像は、ベルト駆動ローラー３２への巻き掛け位置を経由して二次転写位置ＴＲ2に搬送される。この二次転写位置ＴＲ2では、中間転写体３１を巻き掛けられたローラー３４に対して二次転写部４の二次転写ローラー４２が中間転写体３１を挟んで対向配置されており、中間転写体３１表面と転写ローラー４２表面とが互いに当接して二次転写ニップ部ＮＰ２を形成している。すなわち、ローラー３４は二次転写バックアップローラーとして機能している。バックアップローラー３４の回転軸は、例えばバネのような弾性部材である押圧部３４５によって弾性的に、かつ中間転写体３１に対して近接・離間移動自在に支持されている。
【００７７】
二次転写位置ＴＲ2においては、中間転写体３１上に形成された単色あるいは複数色のトナー像が、一対のゲートローラー５１から搬送経路ＰＴに沿って搬送される記録媒体ＲＭに転写される。また、トナー像が二次転写された記録媒体ＲＭは、二次転写ローラー４２から搬送経路ＰＴ上に設けられた定着ユニット７へ送出される。定着ユニット７では、記録媒体ＲＭに転写されたトナー像に熱や圧力などが加えられて記録媒体ＲＭへのトナー像の定着が行われる。こうして、記録媒体ＲＭに所望の画像を形成することができる。
【００７８】
以上のように第２実施形態においても、、副走査方向ＳＤに並ぶ４行の発光素子行ＥＲ1〜ＥＲ4の間の距離Ｄr12、Ｄr23、Ｄr34は、次式、Ｄr12：Ｄr23：Ｄr34＝ｌ：ｍ：ｎ（ｌ、ｍ、ｎは正の整数）を満足する。したがって、４行の発光素子行ＥＲ1〜ＥＲ4の各発光素子Ｅを共通のタイミングで発光させるといった発光タイミング制御が適用可能となり、発光タイミング制御の簡素化を図ることができる。
【００７９】
また、第２実施形態においても、式１〜式６を満たすように（換言すれば、Ｄr12＝ｌ×Ｐdt／｜βs｜、Ｄr23＝ｍ×Ｐdt／｜βs｜、Ｄr34＝ｎ×Ｐdt／｜βs｜を満たすように）、発光素子行ＥＲ1〜ＥＲ4が配置されている。これにより、発光素子行ＥＲ1〜ＥＲ4の各発光素子を共通のタイミングで発光させて、感光体ドラム２１表面の画素上にスポットを照射することができ、発光タイミング制御の簡素化を図ることができる。
【００８０】
Ｃ．解像度ついて
ここで、解像度について説明しておく。図２２は、解像度の定義を説明するための図である。解像度とは、形成された画像におけるドットの密度で与えられるが、図２２では、アルファベットの文字「Ａ」を画像と形成した場合が例示されている。画像データに応じて、スポットＳＰ（同図の丸印）が同図の格子の交点に照射されて、このスポットＳＰにより露光された部分にトナーが付着する。すなわち、格子の交点がドットの中心（幾何重心）となる。
【００８１】
アルファベット文字「Ａ」が形成された領域の副走査方向ＳＤへの長さをＬとし、この長さＬの中に含まれるドットの数（副走査方向に並ぶドットの数）をｊとしたとき、ドットピッチＰdtは、
Ｐdt＝Ｌ／（ｊ−１）
を満たす。また、副走査方向への解像度Ｒは１インチあたりに書き込まれるドットの数で定義され、Ｐがミリメートルで表される場合、解像度Ｒは、
Ｒ＝２５．４／Ｐdt  [ｄｐｉ]
で与えられる。以上が、解像度Ｒの定義である。また、上述した本発明を実施するにあたっては、発光素子行の間の距離Ｐ0を、次式
Ｐ0＝Ｐdt／｜βs｜＝Ｌ／（｜βs｜×（ｊ−１））
に基づいて設定することで、共通のタイミングで発光させるといった発光タイミング制御が適用可能となり、発光タイミング制御の簡素化を図ることができる。
【００８２】
なお、上述の定義にしたがって、実際に形成した画像から解像度Ｒを求めるにあたっては、ｊ＜１００（図２２ではｊ＝２５）となるにようＬを設定するのが望ましい。これにより、ドットピッチＰdtの誤差の影響を抑制して、解像度Ｒを精度良く求めることができる。
【００８３】
ところで、画像形成をする場合、２４００ｄｐｉおよび６００ｄｐｉのいずれの印字評価結果からもドットピッチＰdtのばらつきの許容量は±３[μm]程度で、これを超えると、画像に顕著な濃度むらが発生してしまう。そこで、このような濃度むらを回避するためには、発光素子行ＥＲ1〜ＥＲ4の間の距離の精度は、±３[μm]／｜β｜の範囲を満たせば良い。
【００８４】
Ｄ．その他
以上のように、上記実施形態では、ラインヘッド２９が本発明の「露光ヘッド」に相当し、感光体ドラム２１が本発明の「潜像担持体」に相当している。また、発光素子行ＥＲ1の発光素子Ｅが本発明の「第１の発光素子」あるいは「第２の発光素子」に相当し、発光素子行ＥＲ2の発光素子Ｅが本発明の「第３の発光素子」に相当し、発光素子行ＥＲ3の発光素子Ｅが本発明の「第４の発光素子」に相当し、発光素子行ＥＲ4の発光素子Ｅが本発明の「第５の発光素子」に相当し、距離ＤＲ12が本発明の「第１の発光素子と第３の発光素子との間の第１の方向と直交する方向の距離ＤＲ12」に相当し、距離ＤＲ23が本発明の「第３の発光素子と第４の発光素子との間の第１の方向と直交する方向の距離ＤＲ23」に相当し、距離ＤＲ34が本発明の「第４の発光素子と第５の発光素子との間の第１の方向と直交する方向の距離ＤＲ34」に相当し、ヘッド基板２９３が本発明の「発光素子基板」に相当し、レンズＬＳ1、ＬＳ2が協働して本発明の「結像光学系」として機能している。また、ヘッドコントローラーＨＣ、データ転送基板ＴＢ、ドライバーＩＣ２９５および駆動回路ＤＣ1〜ＤＣ4が協働して本発明の「制御部」として機能している。また、主走査方向ＭＤが本発明の「第１の方向」に相当し、副走査方向ＳＤが本発明の「第１の方向に直交する方向」あるいは「感光体ドラム表面の軸の方向と直交する方向」に相当する。また、ドットピッチＰdtが本発明の「感光体ドラムに露光ヘッドから照射されるスポットの第１の方向と直交する方向のピッチＰdt」に相当する。
【００８５】
ちなみに、これらの用語のうち、「２つの発光素子の距離」、「２つのスポットのピッチ」および「感光体ドラムの表面の軸と直交する方向」はそれぞれ次のように定義できる。つまり、発光素子の幾何重心を発光素子の位置としたとき、２つの発光素子の距離とは、それぞれの発光素子の幾何重心の間の距離と定義する。また、２つのスポットのピッチは、現像されたドットの幾何重心の間の距離と定義する。さらに、軸に直交する方向は、軸を中心に回転する感光体ドラムの表面の接線方向へ移動する方向と定義する。
【００８６】
なお、本発明は上記実施形態に限定されるものではなく、その趣旨を逸脱しない限りにおいて上述したものに対して種々の変更を加えることが可能である。したがって、発光素子Ｅの直径や、発光素子行ＥＲ1〜ＥＲ4の配置間隔（Ｄr12、Ｄr23、Ｄr34）等についても種々の変形が可能である。特に、発光素子径は、要求される解像度や使用する発光素子材料の光学特性などに対応して変えることが好適である。具体的には、例えば、比較的光量の大きい材料で発光素子Ｅを構成して、解像度２４００ｄｐｉの露光を行うような場合には、高精細なスポットを形成すべく、スポット径は１５[μm]程度に抑えた方が好適である場合がある。
【００８７】
そこで、図２３に示すように発光素子グループＥＧを構成しても良い。ここで、図２３は、発光素子グループの構成の変形例を示す平面図である。この変形例では、スポット径１５[μm]を実現すべく、発光素子の直径は２０[μm]（≒１５／｜β｜）に設定されている。また、発光素子行ＥＲ1〜ＥＲ4の間の距離Ｄr12、Ｄr23、Ｄr34は、Ｄr12：Ｄr23：Ｄr34＝ｌ：ｍ：ｎ＝１：２：１となっている。このように、距離Ｄr12、Ｄr23、Ｄr34が整数比を満たすことから、４行の発光素子行ＥＲ1〜ＥＲ4の各発光素子Ｅを共通のタイミングで発光させるといった発光タイミング制御が適用可能となり、発光タイミング制御の簡素化を図ることができる。
【００８８】
また、発光素子グループＥＧにおける発光素子行の行数についても種々の変更が可能であり、例えば、図２４に示すように発光素子グループＥＧを構成しても良い。ここで、図２４は、発光素子グループの構成の更なる変形例を示す平面図である。この更なる変形例では、３行の発光素子行ＥＲ1〜ＥＲ3から発光素子グループＥＧが構成されている。そして、発光素子行ＥＲ1〜ＥＲ3の間の距離Ｄr12、Ｄr23は、それぞれ２８[μm]、７０[μm]となっており、Ｄr12：Ｄr23＝ｌ：ｍ＝２：５を満たす。このように、距離Ｄr12、Ｄr23が整数比を満たすことから、３行の発光素子行ＥＲ1〜ＥＲ3の各発光素子Ｅを共通のタイミングで発光させるといった発光タイミング制御が適用可能となり、発光タイミング制御の簡素化を図ることができる。
【００８９】
また、この更なる変形例では、整数ｌおよび整数ｍは、関係式ｍ＞ｌを満たしており、すなわち、距離Ｄr12よりも距離Ｄr23の方が大きい。これにより、ヘッド基板裏面２９３−tにおいて、発光素子行ＥＲ2と発光素子行ＥＲ3との間に比較的広いスペースをとって、このスペースに発光素子行ＥＲ2の各発光素子Ｅを駆動する駆動回路ＤＣ2を形成することができる。なお、この空いたスペースに、駆動回路ＤＣ2の代わりに駆動回路ＤＣ3を形成して、同駆動回路ＤＣ3で発光素子行ＥＲ3の各発光素子Ｅを駆動するように構成しても良い。
【００９０】
特に、この更なる変形例では、整数ｍおよび整数ｌは、関係式ｍ＞２×ｌを満たしている。つまり、関係式ｍ＞２×ｌを満たすように構成することで、距離Ｄr12よりも距離Ｄr23の方をより大きくとって、発光素子行ＥＲ2と発光素子行ＥＲ3との間にさらに広いスペースを設けることができる。その結果、余裕をもって駆動回路ＤＣ2（ＤＣ3）を配設することができ、駆動回路ＤＣ2（ＤＣ3）のレイアウトが簡単になる。
【００９１】
また、上記実施形態では、発光素子Ｅとしてボトムエミッション型の有機ＥＬ素子が用いられている。しかしながら、トップエミッション型の有機ＥＬ素子を発光素子Ｅとして用いても良く、あるいは有機ＥＬ素子以外のＬＥＤ（Light Emitting Diode）等を発光素子Ｅとして用いても良い。また、発光素子Ｅの形状も上記円形に限られず、適宜変更可能である。
【００９２】
また、レンズアレイの枚数や、レンズアレイＬＡ1、ＬＡ2それぞれの構成（レンズの配置態様、レンズの形成位置等）も適宜変更可能である。
【符号の説明】
【００９３】
２１…感光体ドラム、  ２９…ラインヘッド、  Ｅ…発光素子、  ＥＲ1，ＥＲ2，ＥＲ3，ＥＲ4…発光素子行、  ２９３…ヘッド基板、  ＬＳ1…レンズ、  ＬＳ2…レンズ、  ＨＣ…ヘッドコントローラー、  ＴＢ…データ転送基板、  ２９５…ドライバーＩＣ、  ＤＣ1，ＤＣ2，ＤＣ3，ＤＣ4…駆動回路、  ＭＤ…主走査方向、  ＳＤ…副走査方向
【図１】
2011115959.tif 000003
【図２】
2011115959.tif 000004
【図３】
2011115959.tif 000005
【図４】
2011115959.tif 000006
【図５】
2011115959.tif 000007
【図６】
2011115959.tif 000008
【図７】
2011115959.tif 000009
【図８】
2011115959.tif 000010
【図９】
2011115959.tif 000011
【図１０】
2011115959.tif 000012
【図１１】
2011115959.tif 000013
【図１２】
2011115959.tif 000014
【図１３】
2011115959.tif 000015
【図１４】
2011115959.tif 000016
【図１５】
2011115959.tif 000017
【図１６】
2011115959.tif 000018
【図１７】
2011115959.tif 000019
【図１８】
2011115959.tif 000020
【図１９】
2011115959.tif 000021
【図２０】
2011115959.tif 000022
【図２１】
2011115959.tif 000023
【図２２】
2011115959.tif 000024
【図２３】
2011115959.tif 000025
【図２４】
2011115959.tif 000026